(57)【要約】【課題】  ＬＡＮ等のバス型の平衡伝送線路において、ノード間での反射ノイズとコモンモードノイズを軽減するようにした平衡伝送線路を提供することを目的とする。【解決手段】  伝送線路の両端に終端抵抗Ｒｔを接続し、両端間に複数のノードを接続したバス型の平衡伝送線路において、予め定められる所定の最大ノード間距離内に、所定数以下のノード１ａ乃至ノード３ａを備え、伝送線路のセグメントに備えられる１つ以上のコモンモードチョークコイルＬ２と、コモンモードチョークコイルＬ２で分割された前記伝送線路の夫々の分割セグメント内に設けられるノードと、分割セグメントの両端に設けられ、伝送線路の特性インピーダンスに等しいインピーダンスを有するノイズフィルタ１ｆと伝送線路の伝送媒体２とを備えたことを特徴とする平衡伝送線路。【選択図】  図１
2006270533.tif 000002
【特許請求の範囲】
【請求項１】
伝送線路の両端に終端抵抗を接続し、この伝送線路に複数のノードを接続したバス型の
平衡伝送線路であって、
予め定められる所定のノード間の伝送距離内に、所定数以下の前記ノードを有する前記伝
送線路のセグメントに備えられる１つ以上のコモンモードチョークコイルと、
前記コモンモードチョークコイルで分割された前記伝送線路の夫々の分割セグメント内に
設けられるノードと、
前記分割セグメントの両端に設けられ、前記伝送線路の特性インピーダンスに等しいイン
ピーダンスを有するノイズフィルタと、
前記伝送線路の伝送媒体とを
備えたことを特徴とする平衡伝送線路。
【請求項２】
前記ノイズフィルタは、コアと、第１のコイルと第２のコイルの一方の端子同士を繋ぎ
、他方の夫々の端子を前記伝送線路の２線の異なる一方に接続し、前記コアに互いに逆方
向に巻かれた前記第１のコイルと前記第２のコイルとからなるライントランスと、
前記第１のコイルと前記第２のコイルの接続点に一方の端子を接続されたコンデンサと、
一方を前記コンデンサの他方の端子に、他方を接地点に接続された抵抗とを
備え
前記ライントランスのインピーダンス、前記コンデンサのインピーダンス、及び前記抵抗
のインピーダンスから構成されるインピーダンスの総和が前記伝送線路の特性インピーダ
ンスに等しくなるようにしたことを特徴とする請求項１に記載の平衡伝送線路。
【請求項３】
前記ノイズフィルタは、コアと、前記コアに互いに逆方向に巻かれた第１のコイルと第
２のコイルとからなるライントランスと、
前記第１のコイルの一方の端子を一方の端子に繋ぎ、他方の端子を前記伝送線路の２線の
一方に接続した第１のコンデンサと、
前記第２のコイルの一方の端子を一方の端子に繋ぎ、他方の端子を前記伝送線路の他方に
接続した第２のコンデンサと、
前記第１のコンデンサと前記第２のコンデンサの他方の端子を相互接続し、その接続点と
接地との間に接続された抵抗とを
備え
前記ライントランスのインピーダンス、前記第１のコンデンサと前記第２のコンデンサは
同容量のコンデンサとし、これら並列のインピーダンス、及び前記抵抗のインピーダンス
から構成されるインピーダンスの総和が前記伝送線路の特性インピーダンスに等しくなる
ようにしたことを特徴とする請求項１に記載の平衡伝送線路。
【請求項４】
前記伝送媒体は、２芯ツイストペアーシールド線とし、２芯ツイストペアーシールド線
のシールド端子、前記ノードの接地端子、及び前記ノイズフィルタの接地端子を接続し、
且つ、これらの接地端子を接地点と絶縁したことを特徴とする請求項１に記載の平衡伝送
線路。
【請求項５】
前記ノイズフィルタは、第１のコアと、前記第１のコアに互いに逆方向に巻かれ、夫々
の一方の端子を前記伝送線路の２線のいずれかに接続された第１のコイルと第２のコイル
とからなるライントランスと、
前記第１のコイルに直列に一方の端子を接続された第１の抵抗と、
前記第２のコイルに直列に一方の端子を接続され他方の端子を前記第１の抵抗の他方の端
子と接続された第２の抵抗と、
前記第２の抵抗の他方の端子と直列に一方の端子を接続されたコンデンサと、
前記コンデンサの他方の端子と直列に接続され、他方の端子を接地端子に接続されたた第
３の抵抗と、
一方を電源供給端子に接続され、他方を前記コンデンサの一方の端子に接続されたチョー
クコイルとを
備え、
前記第１の抵抗と前記第２の抵抗の値を等しくし、前記ライントランスのインピーダンス
、前記第１の抵抗と前記第２の抵抗の並列インピーダンス、前記コンデンサのインピーダ
ンス、及び前記第３の抵抗のインピーダンスから構成されるインピーダンスの総和が、前
記伝送線路の特性インピーダンスに等しくなるようにし、且つ、前記チョークコイルの電
源供給端子から外部電源を供給し、内部電源を持たない前記ノードに電源を供給するよう
にしたことを特徴とする請求項１に記載の平衡伝送線路。
【請求項６】
前記ノイズフィルタは、第１のコアと、前記第１のコアに互いに逆方向に巻かれ、夫々
の一方の端子を前記伝送線路の２線のいずれかに接続された第１のコイルと第２のコイル
とからなるライントランスと、
前記第１のコイルに直列に一方の端子を接続された第１の抵抗と、
前記第２のコイルに直列に一方の端子を接続され他方の端子を前第１の抵抗の他方の端子
と接続された第２の抵抗と、
前記第２の抵抗の他方の端子と直列に一方の端子を電力供給端子とし、他方を接地端子に
接続されたコンデンサとを
備え、
前記コンデンサの接地端子を接地し、前記電源供給端子から外部電源を供給し、内部電源
を持たない前記ノードに電源を供給するようにしたことを特徴とする請求項１に記載の平
衡伝送線路。
【発明の詳細な説明】
【技術分野】
【０００１】
本発明は、ＬＡＮ等の平衡伝送線路に関し、特に、網形態としてバス型のＬＡＮを使用
したときの反射ノイズ及びコモンモードノイズの低減を可能とする平衡伝送線路に関する
。
【背景技術】
【０００２】
各種の産業分野の特定地域の工場設備の通信手段として、大別して３つの形態のＬＡＮ
(Local Area Network)が採用されている。
【０００３】
第1の形態は、専用ＬＡＮと呼ばれるもので、これはコンピュータメーカが自社の製品
の接続を目的に開発した、特定メーカの専用ＬＡＮで、第２の形態は、特殊ＬＡＮと呼ば
れるもので、企業や大学内などで特殊な目的のために開発されたもので汎用性の無いＬＡ
Ｎである。
【０００４】
また、第３の形態は、ＩＥＥＥ８０２委員会などの国際標準化機関で定められた規格に
基づいて、異機種のコンピュータシステムあるいは異なるメーカの装置を接続するために
開発された汎用性のあるものである。
【０００５】
これらの物理的な網形態には、バス型、リング型、スター型などがある。この中でバス
型は、1本の伝送線路に複数の端末（以下、ノードと称す）を接続したネットワーク（以
下、セグメントと称す）で、多数のノードが共同で利用でき、利用効率が高いことから、
各種の制御システムにも利用されている。
【０００６】
このバス型のＬＡＮ等のセグメントにおいては、夫々のノードの平衡伝送ドライバから
極性の反対となる信号を伝送し、２線の平衡伝送線路間で伝送する伝送信号に歪が生じな
いように、種々のノイズ対策を講じている。
【０００７】
例えば、図９に示すような平衡伝送回路Ｂにおいては、その両終端に平衡伝送線路Ｂの
２線間の特性インピーダンスＺｄに等しい終端抵抗Ｒｔを接続して、インピーダンス整合
を取ることで反射波が発生するのを防止することが知られている。
【０００８】
しかしながら、平衡伝送線路Ｂの２線対地間の特性インピーダンスＺｕに対するインピ
ーダンス整合が配慮されていないことから、２線間の特性インピーダンスＺｄの中点と対
地間に、２線対地間の特性インピーダンスＺｕと整合するように、抵抗とコンデンサを直
列に接続する平衡伝送線路Ｂの終端方法が知られている（例えば、特許文献１参照。）。
【０００９】
また、図１０に示すような平衡伝送線路においては、この平衡伝送線路に重畳して信号
波形を歪ませるノイズによって、受信するノードの動作に影響を及ぼすため、バイパスコ
ンデンサや、コモンモードチョークコイルなどからなるノイズフィルタが用いられている
（例えば、特許文献２参照。）。
【００１０】
このノイズフィルタ１１１は、送信部１１２と受信部１１３との間に配置され、一対の
伝送線１００と１０１上に生じたノイズをコモンモードチョークコイル１０により縮減し
、コモンモードチョークコイル１０を通過したノイズをライントランス１３の二次側回路
２１に流して、ノイズが受信部３へ流入するのを抑止する。
【００１１】
一方、ライントランスの一次側回路２０に印加された信号は二次側回路２１に起電力を
誘起し、これにより、コモンモードチョークコイル１０を通過しなかった信号が受信部３
に供給されるように構成されている。
【特許文献１】特公昭６３−６１８１６号公報
【特許文献２】特開２００１−２４４６２号公報
【発明の開示】
【発明が解決しようとする課題】
【００１２】
しかしながら、上述した特公開６３-６１８１６号公報においては、両終端部からの反
射ノイズを軽減する効果は得られるものの、バス型の平衡伝送線路のような多数のノード
が接続された場合において、２線に同位相で発生するコモンモードノイズを軽減する技術
については開示されてない。
【００１３】
また上述した特開２００１−２４４６２号公報においては、送信部１１２と受信部１１
３の２点間の平衡伝送線路に重畳するコモンモードノイズや反射ノイズに対してのフィル
タの効果は開示されているものの、バス型の平衡伝送線路のように、多数のノード間の平
衡伝送線路に重畳する反射ノイズを軽減する技術は開示されていない。
【００１４】
即ち、従来の平衡伝送線路におけるフィルタリング技術は、送信部と受信部が一対の場
合について考慮されたもので、提供されるフィルタも整合回路、平衡伝送路間の差動信号
に対するコンデンサと抵抗からなるフィルタ、及び平衡伝送路のコモンモードチョークコ
イルとが一体に成型されたものが提供されていた。
【００１５】
そのため、ＬＡＮ等のバス型の平衡伝送線路を使用する制御システム等においては、配
線経路や配線長の異なるノード間の反射ノイズやコモンモードノイズを同時に対策するに
は問題があった。
【００１６】
本発明は、上記問題点を解決するためになされたもので、上述したＬＡＮ等のバス型の
平衡伝送線路（差動信号伝送路とも言う）において、ノード間での反射ノイズとコモンモ
ードノイズを軽減するようにした平衡伝送線路を提供することを目的とする。
【課題を解決するための手段】
【００１７】
上記目的を達成するために、本発明の平衡伝送路は、伝送線路の両端に終端抵抗を接続
し、この伝送線路に複数のノードを接続したバス型の平衡伝送線路であって、予め定めら
れる所定のノード間の伝送距離内に、所定数以下の前記ノードを有する前記伝送線路のセ
グメントに備えられる１つ以上のコモンモードチョークコイルと、前記コモンモードチョ
ークコイルで分割された前記伝送線路の夫々の分割セグメント内に設けられるノードと、
前記分割セグメントの両端に設けられ、前記伝送線路の特性インピーダンスに等しいイン
ピーダンスを有するノイズフィルタと前記伝送線路の伝送媒体とを備えたことを特徴とす
る。
【発明の効果】
【００１８】
本発明によれば、伝送線路の所定の線路長のセグメントを分割するように設けられるコ
モンモードチョークコイルと、このコモンモードチョークコイルで分割された分割セグメ
ントの夫々の両端に、この伝送線路の特性インピーダンスに等しいインピーダンスを有す
るノイズフィルタを備える構成とした。
【００１９】
したがって、コモンモードノイズ対策と、反射ノイズ対策とがセグメント毎になされる
ように構成できるので、ＬＡＮ等のバス方の平衡伝送線において、配線経路や配線長の異
なる伝送線路のノード間での反射ノイズとコモンモードノイズを軽減するようにした平衡
伝送線路を提供することができる。
【発明を実施するための最良の形態】
【００２０】
以下、図面を参照して、本発明の実施例を説明する。
【実施例１】
【００２１】
以下に、本発明による実施例１に係る平衡伝送線路Ａについて、図１及び図２を参照し
て説明する。図１は、平衡伝送線路Ａの構成図である。
【００２２】
平衡伝送線路Ａの構成は、例えば、この線路の両端に備える終端抵抗Ｒｔと、この平衡
伝送線路Ａを複数のセグメントに分割するように設けられる２つのコモンモードチョーク
コイルＬ２と、この分割されたセグメントＳ１（以後、分割セグメントＳ１と称す）内に
設けられるノード１ａ、ノード１ｂと、分割セグメントＳ２内に設けられるノード２ａ、
ノード２ｂと、分割セグメントＳ３内に設けられるノード３ａと、夫々の分割セグメント
の両端に設けられる、ノイズフィルタ１ｆと、これらの各部を接続する２芯ツイストペア
ーシールド線２とからなる。
【００２３】
この平衡伝送線路Ａのセグメントの線路長と設置されるノードの数とは、予め設定され
、夫々のノード間では、平衡伝送線路Ａの２線間においてビットシリアルで差動信号が授
受されて、相互に通信可能となっている。
【００２４】
そして、コモンモードチョークコイルＬ２は、この平衡伝送線路Ｂの２線に誘導される
コモンモードノイズが伝送信号を歪ませないように、例えば、ノイズ源が分割セグメント
Ｓ２に近辺に存在するとした場合、このノイズの誘導箇所の伝送線路を挟むように、この
分割セグメントＳ２から他の分割セグメントに伝播しないように２箇所に設けられる。
【００２５】
コモンモードチョークコイルＬ２のインピーダンスは、芯線２ａ、２ｂに同位相で混入
するコモンモードノイズに対して阻止できる程度の高いインピーダンスの値となるように
予め設定される。
【００２６】
また、２芯ツイストペアーシールド線２は、通常、特性インピーダンスが５０Ω乃至６
００Ωの範囲のものが使用され、終端抵抗Ｒｔは、この２芯ツイストペアーシールド線２
の特性インピーダンスに等しいものが備えられる。
【００２７】
次に、ノイズフィルタ１ｆの２種類の構成について、図２を参照して説明する。図２（
ａ）は、ノイズフィルタ１ｆの構成を示す回路図で、コアと、コイルＬ１ａとコイルＬ１
ｂの一方の端子同士を繋ぎ、他方の夫々の端子Ｔａ、端子Ｔｂとを、夫々、芯線２ａ、芯
線２ｂに接続し、コアに互いに逆方向に巻かれたコイルＬ１ａとコイルＬ１ｂとからなる
ライントランスＬ１、コイルＬ１ａコイルＬ１ｂの接続点に一方の端子を接続されたコン
デンサＣ１、一方をコンデンサＣ１の他方の端子に、他方を接地端子Ｔｃに接続された抵
抗Ｒ１とからなる。
【００２８】
そして、このノイズフィルタ１ｆは、ライントランスＬ１のインピーダンス、コンデン
サＣ１のインピーダンス、及び抵抗Ｒ１のインピーダンスから構成されるインピーダンス
の総和が伝送媒体である２芯ツイストペアーシールド線２の特性インピーダンスＺｄに等
しくなるよう予め設定される。
【００２９】
また、ライントランスＬ１のインピーダンスは、差動信号に対して低いインピーダンス
としり、コモンモード信号に対しては高いインピーダンスとなるように、夫々のコイルを
逆巻きに接続しておく。
【００３０】
コンデンサＣ１は、直流分をカットするためのもので、このインピーダンスも差動信号
に対して十分低く、且つ、抵抗Ｒ１に対して十分低い値を選んでおく。
【００３１】
また、ノイズフィルタ１ｆの接地端子Ｔｃ、及び各ノードの図示しない接地端子は、伝
送線路の安定した接地点に夫々接地しておく。
【００３２】
このように構成された図２（ａ）に示すノイズフィルタ１ｆは、図２（ｂ）に示すよう
に内部の構成要素を省略した図で表示し、図１に示す平衡伝送線路Ａにおいては、多数の
ノイズフィルタ１ｆを図２（ｂ）の省略図として示す。
【００３３】
次に、このように構成された、平衡伝送線路Ａの動作について説明する。例えば、分割
セグメントＳ１のノード１ａから送信された信号を分割セグメントＳ２のノード２ｂへ送
信する場合、分割セグメントＳ１の両端には２芯ツイストペアーシールド線２の特性イン
ピーダンスＺｄに等しい分布定数のノイズフィルタ１ｆで終端され、同じく、分割セグメ
ントＳ２の両端も特性インピーダンスＺｄに等しい分布定数のノイズフィルタ１ｆで終端
されているので、ノード２ｂへの差動信号は、線路長や配線経路によらず、反射信号の影
響が縮減された歪みの少ない信号が伝送される。
【００３４】
このとき、分割セグメントＳ２において誘導されたコモンモードノイズが重畳した場合
でも、コモンモードチョークコイルＬ２によってその影響は縮減されるので、コモンモー
ドノイズに対して歪みの少ない差動信号が伝送される。
【実施例２】
【００３５】
以下に、本発明の実施例２に係る平衡伝送線路Ａについて、図１及び図３を参照して説
明する。
【００３６】
実施例２の各部が、実施例１と同じ部分は同じ符号を付し、その説明を省略する。実施
例２が、実施例１と異なる点は、実施例１においてはノイズフィルタ１ｆのコンデンサＣ
１は、ライントランスＬ１のコイルＬ１ａとコイルＬ１ｂの接続点と抵抗Ｒ１の間に設け
られたが、実施例２においては、図３に示すように、コイルに直流電流が流れないように
、コンデンサＣ２とコンデンサＣ３の一方の端子同士を接続して抵抗Ｒ１の非接地側の端
子と接続し、コンデンサＣ２とコンデンサＣ３の他方の端子をコイルＬ１ａとコイルＬ１
ｂの夫々の一方の端子に接続したノイズフィルタ２ｆとした点にある。
【００３７】
そして、ライントランスＬ１のインピーダンス、コンデンサＣ２とコンデンサＣ３は同
容量のコンデンサとし、これらのコンデンサの並列インピーダンス、及び抵抗Ｒ１のイン
ピーダンスから構成されるインピーダンスの総和が伝送線路の特性インピーダンスＺｄに
等しくなるように設定しておく。
【００３８】
すなわち、差動伝送信号に直流成分が存在する場合、その成分が流れないようにすると
ともに、その差動信号に対するインピーダンスを伝送線路の特性インピーダンスに等しく
しておく。
【００３９】
このようなノイズフィルタ２ｆを構成することで、差動伝送信号に直流成分が存在する
場合においても、伝送線路のインピーダンスの平衡度を良くし、差動伝送信号に歪を生じ
ないようにすることが出来る。
【実施例３】
【００４０】
以下に、本発明の実施例３に係る平衡伝送線路Ａについて、図４を参照して説明する。
【００４１】
実施例３の各部が、実施例１と同じ部分は同じ符号を付し、その説明を省略する。
【００４２】
実施例３が、実施例１と異なる点は、実施例１においては夫々のノード１ａ乃至ノード
３ａと２芯ツイストペアーシールド線２は、この伝送線路で最適と思われる接地点に多点
または１点で接地され、その接地点を基準電位として動作するようにしていたが、実施例
３においては、接地点を基準電位とせず、接地点と絶縁された状態にした点にある。
【００４３】
このようにすることで、接地電位が不安定な場合には、芯線２ａ、芯線２ｂの夫々を同
じ電位条件で動作させることで、接地点を介して誘導されるコモンモードノイズに対して
強い平衡伝送線路Ａを構成することが出来る。
【実施例４】
【００４４】
以下に、本発明の実施例４に係る平衡伝送線路Ａについて、図５と図６を参照して説明
する。
【００４５】
実施例４の各部が、実施例１と同じ部分は同じ符号を付し、その説明を省略する。実施
例４が、実施例１と異なる点は、実施例１においては夫々のノード１ａ乃至ノード３ａは
内部に電源を備えたもので、ノイズフィルタ１ｆは電源供給の端子を備えていないもので
あったが、実施例４においては、ノード１ａ乃至ノード１ｂは電源を持たないため、外部
から電源を供給できる電源供給端子Ｔｅを備える構成のノイズフィルタ４ｆとし、この電
源供給端子Ｔｅから直流電源を供給するように構成した点にある。
【００４６】
ノイズフィルタ４ｆの構成は、図５に示すように、コアとコアに互いに逆方向に巻かれ
、夫々の一方の端子を２芯ツイストペアーシールド線２の芯線２ａ、芯線２ｂの夫々に接
続されたコイルＬ１ａとコイルＬ１ｂとからなるライントランスＬ１と、コイルＬ１ａに
直列に一方の端子を接続された抵抗Ｒ１２と、コイルＬ１ｂに直列に一方の端子を接続さ
れ他方の端子を抵抗Ｒ１２の他方の端子と接続された抵抗Ｒ１３と、抵抗Ｒ１３の他方の
端子と直列に一方の端子を接続されたコンデンサＣ１と、コンデンサＣ１の他方の端子と
直列に接続され、他方の端子を接地端子Ｔｅに接続されたた抵抗Ｒ１と、一方を電源供給
端子Ｔｅに接続され他方をコンデンサＣ１の一方の端子に接続されたチョークコイルＬ３
とを備える。
【００４７】
そして、抵抗Ｒ１２と抵抗Ｒ１３の値を等しくし、ライントランスＬ１のインピーダン
ス、抵抗Ｒ１２と抵抗Ｒ１３の並列インピーダンス、コンデンサＣ１のインピーダンス、
及び抵抗Ｒ１のインピーダンスから構成されるインピーダンスの総和が２芯ツイストペア
ーシールド線２の特性インピーダンスに等しくなるようにしておく。
【００４８】
そして、図６に示すように、チョークコイルＬ３の電源供給端子Ｔｅから外部電源を供
給し、内部電源を持たないノード１ａとノード１ｂとに電源７によって電力を供給するよ
うにし構成する。
【００４９】
チョークコイルＬ３は、芯線２ａ、芯線２ｂに誘導されるコモンモードノイズに対して
高いインピーダンスを、且つ、電源供給端子Ｔｅから供給される電源７に対しては低い直
流抵抗値となるように設定する。
【００５０】
このように構成されたノイズフィルタ４ｆｅの端子Ｔｅに直流電源７のプラス端子を接
続し、内部電源を持たないノード１ａとノード１ｂにノイズフィルタ４ｆの電源供給端子
Ｔｅを接続し、これらの接地端子を接続して、直流電源７のマイナス端子を接地しておく
。
【００５１】
すると、直流電源７の電力は、ノイズフィルタ４ｆｅ、２芯ツイストシールド線２、及
びノイズフィルタ４ｆを経由してノード１ａ、ノード１ｂに電力を供給することが出来る
。
【００５２】
この平衡伝送線路Ａは、内部に電源を持たないノード１ａ、ノード１ｂに対して、反射
ノイズとコモンモードノイズに対する低減効果を損なうことなく、差動伝送信号を伝送可
能とするとともに、外部から電源を持たないノードに対して電力を供給することが出来る
。
【実施例５】
【００５３】
以下に、本発明の実施例５に係る平衡伝送線路Ａについて、図７と図８を参照して説明
する。
【００５４】
実施例５の各部が、実施例４と同じ部分は同じ符号を付し、その説明を省略する。実施
例５が、実施例４と異なる点は、実施例４においては、伝送線路を介してノイズフィルタ
４ｆの電源供給端子Ｔｅを備えるノイズフィルタ４ｆとし、一方を電源供給端子Ｔｅに接
続され、他方をコンデンサＣ１の一方の端子に接続されたチョークコイルＬ３を備え、こ
の電源供給端子Ｔｅにから直流電源を供給するノイズフィルタ４ｆとしたが、実施例５に
おいては、コンデンサＣ１の一方の端子を電源供給端子Ｔｅとし、チョークコイルＬ３及
び抵抗Ｒ１を削除し、コンデンサＣ１の他方を直接接地端子Ｔｃに接続するように構成し
たノイズフィルタ５ｆとした点にある。
【００５５】
また、実施例４においては、接地は１点接地としたが、本実施例では、接地端子Ｔｃを
すべて接地する多点接地方式とした点にある。
【００５６】
実施例１乃至実施例４の場合は、伝送線路の特性インピーダンスＺｄと等しいインピー
ダンスを有するノイズフィルタを選択したが、本実施例５では、反射ノイズの影響よりも
伝送線路に誘導されるコモンモードノイズに対するピーダンスを極力小さくすることでコ
モンモードノイズの誘導に対する影響を小さくすることを重視した構成とした。
【００５７】
このような構成によれば、電源を持たないノード１ａ、ノード１ｂに対して、外部から
電力を供給できるとともに、多点接地が可能となるので１点接地の場合のように接地工事
や接地場所の選定が不要で工事が容易になる。
【００５８】
本発明は、上述した実施例に何ら限定されるものではなく、コモンモードノイズを低減
するためのコモンモードチョークコイルの接地点で分割された分割セグメント単位に、そ
の分割セグメントの両端に伝送線路の特性インピーダンスに等しいノイズフィルタを備え
るようにしたものであれば良く、ノード間の伝送線路長、セグメント内の設置ノード数、
及び、伝送媒体の差異によってノイズフィルタの特性を適宜変更して、本発明の主旨を逸
脱しない範囲で種々変形して実施することができる。
【図面の簡単な説明】
【００５９】
【図１】本発明の実施例１に係る平衡伝送線路の構成図。
【図２】本発明の実施例１に係る平衡伝送線路を構成するノイズフィルタの構成図。
【図３】本発明の実施例２に係る平衡伝送線路を構成するノイズフィルタの構成図。
【図４】本発明の実施例３に係る平衡伝送線路の他の接地例を説明する図。
【図５】本発明の実施例４に係る平衡伝送線路に使用されるノイズフィルタの構成図。
【図６】本発明の実施例４に係る平衡伝送線路の構成図。
【図７】本発明の実施例５に係る平衡伝送線路に使用されるノイズフィルタの構成図。
【図８】本発明の実施例５に係る平衡伝送線路の構成図。
【図９】従来の平衡伝送線路の終端回路の説明図。
【図１０】本発明の平衡伝送線路のノイズフィルタの構成図。
【符号の説明】
【００６０】
１ａ、１ｂ、２ａ、２ｂ、３ａ、  ノード
１ｆ、２ｆ、４ｆ、４ｆｅ、５ｆ、５ｆｅ  ノイズフィルタ
２  ２芯ツィストペアーシールド線
２ａ、２ｂ  芯線
Ｌ１  ライントランス
Ｌ２  コモンモードチョークコイル
Ｌ３  チョークコイル
Ｌ１ａ、Ｌ１ｂ  コイル
Ｔｃ  接地端子
Ｔｅ  電源供給端子
７  直流電源
平衡伝送線路  Ａ、Ｂ
１０  コモンモードチョークコイル
１１  整合回路
１２  ＬＣ直列回路
２０  一次側回路
２１  ２次側回路
１００，１０１  伝送線
１１１  ノイズフィルタ
１１２  送信部
１１３  受信部
【図１】
2006270533.tif 000003
【図２】
2006270533.tif 000004
【図３】
2006270533.tif 000005
【図４】
2006270533.tif 000006
【図５】
2006270533.tif 000007
【図６】
2006270533.tif 000008
【図７】
2006270533.tif 000009
【図８】
2006270533.tif 000010
【図９】
2006270533.tif 000011
【図１０】
2006270533.tif 000012